(57)【要約】【課題】マルチチャンネルオーディオシステムにおける消費電力の低減を図る。【解決手段】5.1chサラウンドの場合には、フロントの４チャンネル（ＦＬ、Ｃ、ＦＲ、ＳＷ）のスピーカから出力される音により、リアの２つのサラウンドチャンネル（ＳＬ、ＳＲ）の仮想サラウンド音が形成されるように、サラウンド信号処理を実行させる。これに対応して２つのサラウンドチャンネル（ＳＬ、ＳＲ）のスピーカから出力させる実音音量は、仮想サラウンド音の音量に応じて低減させることで、聴感上は適正なサラウンドチャンネル（ＳＬ、ＳＲ）の音量が聞こえるようにする。これにより、２つのサラウンドチャンネル（ＳＬ、ＳＲ）のスピーカから実音を出力させるための増幅回路としては消費電力が低減されることになる。【選択図】図４
2005341385.tif 000002
【特許請求の範囲】
【請求項１】
所定の複数のオーディオチャンネル構成に対応する音声ソース信号を入力して所要の信号処理を実行することで、各オーディオチャンネルごとに対応するスピーカから放出させるべき音のオーディオ信号を生成する信号処理手段と、
複数のオーディオチャンネルのうちの所定の一部複数のオーディオチャンネルに対応するスピーカから放出させた音により、上記所定の一部複数のオーディオチャンネル以外のオーディオチャンネルのスピーカから放出されるべき音の仮想音声成分が所定音量で形成されるようにするための仮想音声生成処理が上記信号処理手段において実行されるように制御する信号処理制御手段と、
上記仮想音声成分に設定される音量に応じて、上記所定の一部複数のオーディオチャンネル以外のオーディオチャンネルのスピーカから実際に放出させる音声の音量を可変する音量制御手段と、
上記信号処理手段により生成されたオーディオ信号のうち、上記所定の一部複数のオーディオチャンネルに対応するオーディオ信号について、スピーカから音声として出力させるための増幅を行う第１の増幅手段と、
上記信号処理手段により生成されたオーディオ信号のうち、上記所定の一部複数のオーディオチャンネル以外のオーディオチャンネルに対応するオーディオ信号について、スピーカから音声として出力させるための増幅を行う第２の増幅手段と、
を備えることを特徴とする音響再生システム。
【請求項２】
上記第１の増幅手段と、上記第２の増幅手段は、それぞれ異なる電源供給手段からの電源供給を受けて動作するように構成される、
ことを特徴とする請求項１に記載の音響再生システム。
【請求項３】
所定の複数のオーディオチャンネル構成に対応する音声ソース信号を入力して所要の信号処理を実行することで、各オーディオチャンネルごとに対応するスピーカから放出させるべき音のオーディオ信号を生成する信号処理手順と、
複数のオーディオチャンネルのうちの所定の一部複数のオーディオチャンネルに対応するスピーカから放出させた音により、上記所定の一部複数のオーディオチャンネル以外のオーディオチャンネルのスピーカから放出されるべき音の仮想音声成分が所定音量で形成されるようにするための仮想音声生成処理が上記信号処理手順において実行されるように制御する信号処理制御手順と、
上記仮想音声成分に設定される音量に応じて、上記所定の一部複数のオーディオチャンネル以外のオーディオチャンネルのスピーカから実際に放出させる音声の音量を可変する音量制御手順と、
上記信号処理手順により生成されたオーディオ信号のうち、上記所定の一部複数のオーディオチャンネルに対応するオーディオ信号について、スピーカから音声として出力させるための増幅を行う第１の増幅手順と、
上記信号処理手順により生成されたオーディオ信号のうち、上記所定の一部複数のオーディオチャンネル以外のオーディオチャンネルに対応するオーディオ信号について、スピーカから音声として出力させるための増幅を行う第２の増幅手順と、
を実行することを特徴とする音響再生方法。
【発明の詳細な説明】
【技術分野】
【０００１】
本発明は、例えば複数のオーディオチャンネル（マルチチャンネル）構成によるサラウンド音声を再生するための音響再生システムと、その方法に関するものである。
【背景技術】
【０００２】
近年においては、オーディオシステムとして、例えば５．１ｃｈサラウンドに代表されるような、いわゆるマルチチャンネルに対応するものが広く普及してきている。
例えば、上記した５．１ｃｈサラウンドの場合には、フロント左チャンネル（ＦＬ）、フロント右チャンネル（ＦＲ）、センターチャンネル（Ｃ）、サブウーファチャンネル（ＳＷ）、サラウンド左チャンネル（ＳＬ）、サラウンド右チャンネル（ＳＲ）の６つのオーディオチャンネルに対応したスピーカをしかるべき位置関係により配置して音声出力を行うようにする。これにより、聴取位置においては、適正な音場によるサラウンド音声を聴くことができる。このようなサラウンド音声は、例えば２ｃｈステレオによる音場よりも立体的で臨場感の高いものとなっている。
【０００３】
【特許文献１】特開平８−２８０１００号公報
【発明の開示】
【発明が解決しようとする課題】
【０００４】
一般的なこととして、電子機器としては低消費電力であることが求められるが、上記したようなマルチチャンネルオーディオのシステムにおいては、例えば特に、一部オーディオチャンネルのアンプ（増幅回路系）における消費電力の低減が図られることが求められている。
この理由について、５．１ｃｈサラウンドのマルチチャンネル構成を例に説明する。
【０００５】
現実的なこととして、５．１ｃｈサラウンドのシステムを室内に導入する場合において、計６つのオーディオチャンネルに対応したスピーカを、室内における聴取位置周囲のしかるべき位置に配置し、これらのスピーカと、コントロールユニット（例えばプリアンプ、パワーアンプ、及びユーザインターフェイス機能などを備える）などとの間をスピーカケーブルで接続するなどの配線を組まなければいけない。この場合、先ず、ユーザにとっては配線作業が面倒であるし、また、配線を組んだ後にはスピーカケーブルが室内の床を這っているようなこととなり、室内の美観を損ねるなどの問題もでてくる。
【０００６】
そこで、できるだけ上記したような問題が軽減されるようにしたいとすると、１つには、アンプとスピーカとの間の配線を、有線に代えて無線伝送により行うようにすることが考えられる。つまり、オーディオ信号を無線により送信するようにされる。この場合、
スピーカ側は、無線対応の受信部や、アクティブスピーカを備えたユニット構成となる。また、このようなスピーカユニットは、例えばコントロールユニットとは別体の装置となるので、電源は、バッテリ、若しくはコントロールユニットとは別に商用交流電源（ＡＣ）から得るようにされる。そして、スピーカユニット側では、受信部により受信したオーディオ信号を増幅して音声として空間に出力するようにされる。
ただし、６つの全てのオーディオチャンネルのスピーカに対応して無線化すると、例えばバッテリ駆動の場合には、６つものスピーカユニットについて、バッテリの残量をチェックして充電するなどの管理をしなければならない。また、ＡＣ駆動の場合には、電源コンセントのケーブルがかえって増えてしまうことになり、結果的に、スピーカケーブルがなくなったことのメリットが相殺されてしまう。
【０００７】
そこで、折衷的なことを考えると、あくまでも一例ではあるが、次のような構成を採ることがよい、ということになる。
つまり、５．１ｃｈサラウンドでは、フロント左チャンネル（ＦＬ）、フロント右チャンネル（ＦＲ）、センターチャンネル（Ｃ）のスピーカは、視聴位置の前方側に配置される。また、サブウーファチャンネル（ＳＷ）は、他のオーディオチャンネルほど厳密な定位感は要求されないものの、サブウーファチャンネル（ＳＷ）のスピーカも、聴取位置の前方に配置される。また、この場合には、コントロールユニットも、ユーザが操作しやすいことなどを考慮して、聴取位置の前方に配置されるべきものとする。
これに対して、サラウンド左チャンネル（ＳＬ）、サラウンド右チャンネル（ＳＲ）の各スピーカは、聴取位置の後方に配置される。
【０００８】
そこで、前方に位置している、フロント左チャンネル（ＦＬ）、フロント右チャンネル（ＦＲ）、センターチャンネル（Ｃ）については、コントロールユニットとスピーカケーブルで接続して、音声を出力させるようにする。これらのオーディオチャンネルのスピーカとコントロールユニットは、全て聴取位置の前方に位置するから、これらを纏めてコントロールユニットとスピーカケーブルで接続しても、室内の美観を著しく損ねることはないであろう、ということである。
これに対して、サラウンド左チャンネル（ＳＬ）、サラウンド右チャンネル（ＳＲ）については、上記したようなスピーカユニットを構成し、コントロールユニットからこのスピーカユニットに対してオーディオ信号を無線により伝送させるようにする。聴取位置後方にある、サラウンド左チャンネル（ＳＬ）、サラウンド右チャンネル（ＳＲ）のスピーカと、聴取位置前方のコントロールユニットとを接続するスピーカケーブルが最も長くなって、室内でも目立つから、このスピーカケーブルが無くなった段階で、室内の美観は充分に保たれるということがいえる。また、全体としては、６本のスピーカのうち、２つのスピーカについてスピーカケーブルを配線する必要が無くなっているので、その分、面倒さは軽減されることになる。
【０００９】
この場合、コントロールユニットは、ＡＣから電源をとることになる。これに対して、サラウンド左チャンネル（ＳＬ）、サラウンド右チャンネル（ＳＲ）のスピーカユニットとしては、ＡＣから電源をとっても良いし、バッテリ駆動の構成を採ってもよい。室内美観を保つことや配線の手間が省かれることなどの点では、バッテリ駆動のほうが有利である。
【００１０】
このようなシステム構成を採った場合、とくに、サラウンド左チャンネル（ＳＬ）、サラウンド右チャンネル（ＳＲ）のスピーカユニット側の低消費電力化が推し進められることが好ましいことになる。
先ずは、この場合、スピーカユニット側でオーディオ信号を増幅してスピーカを駆動する必要があるから、スピーカユニットとしてはいわゆるアクティブスピーカの構成を採ることになる。つまり、パワーアンプを内蔵しているものであり、従って、このパワーアンプを駆動するための電源が必要である。この場合のスピーカユニットにおける電力消費の割合はパワーアンプが最も高い。スピーカから出力させる音量を上げるほど、パワーアンプにおいて流れる負荷電流が多くなって、その分消費電力は大きくなる。
ここで、サラウンド左チャンネル（ＳＬ）、サラウンド右チャンネル（ＳＲ）のスピーカユニットについてバッテリ駆動とした場合を考えてみると、実際の使用にあたり、最も考慮されるべきことの１つは、バッテリの持続時間である。つまり、できるだけバッテリの持続時間が長くなるように、特にパワーアンプの増幅動作による電力消費が少なくなるようにすることが必要になるものである。
【００１１】
また、スピーカユニットについてＡＣから電源をとる構成とした場合にも、消費電力が大きいと次のような不都合がある。ＡＣから電源を採ることとした場合には、例えばパワーアンプを駆動する直流電源を得るための電源装置を備えることが必要になる。この電源措置の規模、サイズは、例えば電源トランスなどを含め、消費電力に応じて大きくなる傾向にある。電源装置が大きくなれば、スピーカユニットも大型化することになって、室内を狭くしたり、また、美観を損ねることなどにつながってしまう。
このようにして、マルチチャンネル対応のオーディオシステムでは、その構成によっては、特に一部のオーディオチャンネルの増幅回路系について低消費電力化が推し進められることが求められる場合がある。
【課題を解決するための手段】
【００１２】
そこで本発明は上記した課題を考慮して、音響補正装置として次のように構成することとした。
つまり、所定の複数のオーディオチャンネル構成に対応する音声ソース信号を入力して所要の信号処理を実行することで、各オーディオチャンネルごとに対応するスピーカから放出させるべき音のオーディオ信号を生成する信号処理手段と、複数のオーディオチャンネルのうちの所定の一部複数のオーディオチャンネルに対応するスピーカから放出させた音により、所定の一部複数のオーディオチャンネル以外のオーディオチャンネルのスピーカから放出されるべき音の仮想音声成分が所定音量で形成されるようにするための仮想音声生成処理が信号処理手段において実行されるように制御する信号処理制御手段と、仮想音声成分に設定される音量に応じて、所定の一部複数のオーディオチャンネル以外のオーディオチャンネルのスピーカから実際に放出させる音声の音量を可変する音量制御手段と、信号処理手段により生成されたオーディオ信号のうち、所定の一部複数のオーディオチャンネルに対応するオーディオ信号について、スピーカから音声として出力させるための増幅を行う第１の増幅手段と、信号処理手段により生成されたオーディオ信号のうち、所定の一部複数のオーディオチャンネル以外のオーディオチャンネルに対応するオーディオ信号について、スピーカから音声として出力させるための増幅を行う第２の増幅手段とを備えることとした。
【００１３】
また、音響再生方法としては、所定の複数のオーディオチャンネル構成に対応する音声ソース信号を入力して所要の信号処理を実行することで、各オーディオチャンネルごとに対応するスピーカから放出させるべき音のオーディオ信号を生成する信号処理手順と、複数のオーディオチャンネルのうちの所定の一部複数のオーディオチャンネルに対応するスピーカから放出させた音により、所定の一部複数のオーディオチャンネル以外のオーディオチャンネルのスピーカから放出されるべき音の仮想音声成分が所定音量で形成されるようにするための仮想音声生成処理が信号処理手順において実行されるように制御する信号処理制御手順と、仮想音声成分に設定される音量に応じて、所定の一部複数のオーディオチャンネル以外のオーディオチャンネルのスピーカから実際に放出させる音声の音量を可変する音量制御手順と、信号処理手順により生成されたオーディオ信号のうち、所定の一部複数のオーディオチャンネルに対応するオーディオ信号について、スピーカから音声として出力させるための増幅を行う第１の増幅手順と、信号処理手順により生成されたオーディオ信号のうち、所定の一部複数のオーディオチャンネル以外のオーディオチャンネルに対応するオーディオ信号について、スピーカから音声として出力させるための増幅を行う第２の増幅手順とを実行するように構成することとした。
【００１４】
上記各構成によれば、所定の複数のオーディオチャンネル（マルチチャンネル）構成に対応して各オーディオチャンネルごとに対応するスピーカから音声を再生出力する音響再生装置としては、複数のオーディオチャンネルのうちの所定の一部複数のオーディオチャンネルに対応するスピーカから放出させた音により、これら所定の一部複数のオーディオチャンネル以外のオーディオチャンネルのスピーカから放出されるべき音の仮想音声成分が所定音量で形成されるように構成される。つまり、いわゆるバーチャル（仮想）サラウンド効果として、所定の一部複数のオーディオチャンネル以外のオーディオチャンネルの音声が仮想的に得られるようにしている。そのうえで、音量制御手段は、この所定の一部複数のオーディオチャンネル以外のオーディオチャンネルのスピーカから実際に放出させる音声の音量を可変するようにされているのであるが、この音量可変の形態としては、上記バーチャルサラウンド効果によって得られる仮想音声成分と足し併せて、適正音量として聞こえるように調整するべきものとなる。
そのうえで、第１の増幅手段は、上記所定の一部複数のオーディオチャンネルに対応するオーディオ信号について増幅を行う。つまり仮想音声成分が形成されないオーディオチャンネルに対応した増幅を行う。
これに対して、第２の増幅手段は、上記所定の一部複数のオーディオチャンネル以外のオーディオチャンネルに対応するオーディオ信号について増幅を行う。つまり、仮想音声成分と足し併せるべき音のオーディオ信号についての増幅を行う。
【発明の効果】
【００１５】
このことから、本発明としては、仮想音声成分と足し併せるべき音のオーディオ信号について増幅を行う第２の増幅手段としては、仮想音声成分の音量分の増幅は行わなくともよいことになる。つまり、上記所定の一部複数のオーディオチャンネル以外のオーディオチャンネルに対応しては、同じ適正音量を得るのに、これまでよりも低い増幅率ですむことになる。この結果、第２の増幅手段における消費電力も、これまでと比較して低減が図られることになる。
【発明を実施するための最良の形態】
【００１６】
図１は、本発明の音響再生装置を含むものとして構成される音響再生システムの構成例を示している。本実施の形態の音響再生システムは、マルチチャンネル構成によるサラウンド音響再生を可能に構成される。本発明としては、マルチチャンネル構成は特に限定されるものではないが、ここでは、５．１ｃｈサラウンドに対応する構成を採っているものとして説明を行うこととする。
なお、本実施の形態の音響再生システムとしては、オーディオ（音声）再生のみが可能なシステムとしても構成されてよい。あるいは、ＤＶＤ(Digital Versatile Disc)を再生するホームシアターシステムなどのような、ビデオ再生系とオーディオ再生系とが組み合わされたＡＶシステムにおけるオーディオ再生系として構成されてもよい。
【００１７】
この図に示す音響再生システムは、例えば図示するようにして、メディアプレーヤ１，メインアンプ部２、ワイヤレス送信部３、及び５．１ｃｈサラウンドに対応するスピーカ、又はスピーカユニットを備えて成る。５．１ｃｈサラウンドは、周知のようにして、フロント左チャンネル（ＦＬ）、センターチャンネル（Ｃ）、フロント右チャンネル（ＦＲ）、サラウンド左チャンネル（ＳＬ）、サラウンド右チャンネル（ＳＲ）、及びサブウーファチャンネル（ＳＷ）の６系統のオーディオチャンネル構成である。これに対応して、実施の形態のオーディオシステムは、フロント左チャンネルスピーカＳＰ−ＦＬ、センターチャンネルスピーカＳＰ−Ｃ、フロント右チャンネルスピーカＳＰ−ＦＲ、及びサブウーファチャンネルスピーカＳＰ−ＳＷの５つのスピーカと、サラウンド左チャンネルスピーカユニット１０−ＳＬ、サラウンド右チャンネルスピーカユニット１０−ＳＲの２つのスピーカユニットから成る。
本実施の形態の場合、上記５つの「スピーカ」とは、いわゆるパッシブスピーカの構成を採り、メインアンプ部２にてオーディオ信号により増幅した出力であるドライブ信号により音声を空間に出力するように駆動される。これに対して、２つの「スピーカユニット」は、いわゆるアクティブスピーカの構成を採る。従って、スピーカユニットに入力されるのは増幅前のオーディオ信号であり、この入力されたオーディオ信号により増幅を行ってスピーカを駆動するように構成されている。
【００１８】
メディアプレーヤ１は、少なくともオーディオコンテンツとしてのデータが記録されたメディアに対する読み出し、及び所定のエラー訂正処理、記録符号化に対応する復号処理などを得られた再生信号をメインアンプ部２に対して出力する。なお、この場合において、メディア再生部１において再生対象となるメディアの種別、フォーマット等については特に限定されるべきものではない。例えば、現状であれば、ＤＶＤ(Digital Versatile Disc)を考えることができる。メディア再生部１１の具体的構成としてＤＶＤに対応する場合には、装填されたＤＶＤに記録されたビデオ／オーディオコンテンツとしてのデータを読み出して、例えば再生時間的に同時に再生出力されるべきビデオデータとオーディオデータとを得るようにされる。図１に対応させれば、このビデオデータが、メインアンプ部２に対して出力されることになる。なお、ビデオデータは、ここでは図示していない映像信号処理系に対して出力されることになる。
【００１９】
なお、メディアプレーヤ１としては、ＤＶＤなどに加えて、例えばオーディオＣＤなども再生可能とされたいわゆるマルチメディア対応の構成とすることもできる。また、テレビジョン放送などを受信復調してビデオ信号、オーディオ信号を出力するテレビジョンチューナ単体としての構成とされても構わない。あるいは、テレビジョンチューナの機能とパッケージメディアの再生機能とが複合的に組み合わされたような構成とされてもよい。さらには、ハードディスクなどの記憶デバイスなどとされて、この記憶デバイスに対して記憶させた各種のコンテンツを再生出力させるような構成としてもよい。
【００２０】
メインアンプ部２は、メディアプレーヤ１から出力される再生信号について所要の信号処理を実行し、５．１ｃｈサラウンドに対応する６つの各スピーカから出力すべき音の元となるオーディオ信号を得るようにされる。
そして、本実施の形態の場合、このようにして得られた６つのオーディオチャンネルごとに対応するオーディオ信号のうち、フロント左チャンネル（ＦＬ）、センターチャンネル（Ｃ）、フロント右チャンネル（ＦＲ）、及びサブウーファチャンネル（ＳＷ）の４つのオーディオチャンネルに対応するオーディオ信号については、メインアンプ部２により増幅してスピーカドライブ信号を出力して、フロント左チャンネルスピーカＳＰ−ＦＬ、センターチャンネルスピーカＳＰ−Ｃ、フロント右チャンネルスピーカＳＰ−ＦＲ、及びサブウーファチャンネルスピーカＳＰ−ＳＷの各々を駆動するようにされる。
これに対して、サラウンド左チャンネル（ＳＬ）及びサラウンド右チャンネル（ＳＲ）の２つのオーディオチャンネルに対応するオーディオ信号については、メインアンプ部２においては増幅を行わずに、そのオーディオ信号の形式を維持させたまま、ワイヤレス送信部３に伝送する。
なお、この場合において、メインアンプ部２は、商用交流電源（ＡＣ）を入力して内部の回路（ワイヤレス送信部も含む）に供給すべき電源電圧を得るための電源回路を備える。
【００２１】
ワイヤレス送信部３においては、伝送されてきたサラウンド左チャンネル（ＳＬ）とサラウンド右チャンネル（ＳＲ）のオーディオ信号について、所定のワイヤレス送信フォーマットに従ったパケット化、及びキャリア変調などの処理を施して送信信号に変換する。
なお、本実施の形態の送信信号のデータの構造には、オーディオ信号の他に各種所要のデータを含めることができる。こようなデータは、例えばメインアンプ部２側の制御部（マイクロコンピュータ）とサラウンドスピーカユニット内の制御部（マイクロコンピュータ）との間でのコマンド通信を行うためのコマンドデータなどとされる。
ワイヤレス送信部３では、上記のようにして、スピーカユニット１０−ＳＬ、１０−ＳＲのそれぞれに送信すべき送信信号を生成するようにされる。そして、この送信信号を、例えば時分割多重化した構造により、スピーカユニット１０−ＳＬ、１０−ＳＲに対して送信出力する。
【００２２】
スピーカユニット１０−ＳＬ、１０−ＳＲは、それぞれ送信信号を受信復調して得られるデータから、自身を送信先として送信されてきたパケットデータを抽出する。そして、このパケットデータについてさらにアンパケット化などの復調処理を実行することで、オーディオ信号を得るようにされる。また、オーディオデータに付随された各種コマンド等のデータも取得するようにされる。
スピーカユニット１０−ＳＬ、１０−ＳＲでは、上記のようにして得たオーディオ信号により増幅を行って、各自が備えるスピーカを駆動する。また、スピーカユニット１０−ＳＬ、１０−ＳＲでは、送信信号においてオーディオ信号とともに、例えばコマンドとして格納された音量の指示情報に応じた音量を設定して、オーディオ信号の増幅を実行させるようにしている。
また、スピーカユニット１０−ＳＬ、１０−ＳＲは、それぞれ内部に収納されるバッテリ３７の電力により動作するようになっている。スピーカユニット１０−ＳＬ、１０−ＳＲの各々は、バッテリ３７に蓄積された電力を取り出して内部回路に供給すべき電源電圧を得るための電源回路を備える。
【００２３】
上記した構成によると、本実施の形態の音響再生システムでは、フロント右チャンネルスピーカＳＰ−ＦＬ、センターチャンネルスピーカＳＰ−Ｃ、フロント右チャンネルＳＰ−ＦＲ、及びサブウーファチャンネルスピーカＳＰ−ＳＷの４つのスピーカについては、メインアンプ部２から出力されるスピーカドライブ信号により駆動されることで音声を出力するようにされている。つまり、これら４つのスピーカとメインアンプ部２とは、スピーカドライブ信号を伝送するスピーカケーブルにより物理的に有線で接続されている。
これに対して、サラウンド左チャンネル（ＳＬ）とサラウンド右チャンネル（ＳＲ）に対応するスピーカユニット１０−ＳＬ、１０−ＳＲは、オーディオ信号がワイヤレスにより伝送されることから、メインアンプ部２と有線で接続されてはいない。つまり、オーディオ信号の伝送にあたり、ケーブルレスの仕様となっている。
【００２４】
このようにして、例えばマルチチャンネルを構成する複数のスピーカ（スピーカユニット）のうちの一部をケーブルレスの形態とすれば、その分、メインアンプ部とスピーカとをスピーカケーブルにより配線する手間が省けるため、本実施の形態の音響再生システムを実際に設置する際の面倒さが軽減されることになる。また、例えば長いスピーカケーブルが室内に這うようにして設置されることがないので、室内もそれだけすっきりすることとなって美観なども損なわない。
本実施の形態のメインアンプ部２は、聴取位置よりも前方に設置されることを想定したものとされる。フロント左チャンネル（ＦＬ）、センターチャンネル（Ｃ）、フロント右チャンネル（ＦＲ）、及びサブウーファチャンネル（ＳＷ）に対応する各スピーカも聴取位置より前方に設置されるのが一般的である。これに対して、サラウンド左チャンネル（ＳＬ）及びサラウンド右チャンネル（ＳＲ）に対応するスピーカは聴取位置よりも後方に設置されるという相違がある。
このことから、本実施の形態としては、サラウンド左チャンネル（ＳＬ）及びサラウンド右チャンネル（ＳＲ）についてスピーカケーブルについてケーブルレスとしているものである。つまり、サラウンド左チャンネル（ＳＬ）、サラウンド右チャンネル（ＳＲ）に対応する各スピーカは、他のチャンネルのスピーカと比較して、メインアンプ部２から相応の距離を隔てることになるので、スピーカケーブルを接続しようとすれば、相応の長さを這わせる必要があり、それだけ作業が面倒になる。また、美観も損ないやすいということになる。本実施の形態では、このような問題を解消しているものである。
さらに本実施の形態の場合においては、スピーカユニット１０−ＳＬ、１０−ＳＲはバッテリを電源として動作するので、コンセントケーブルなどにより商用交流電源と接続されてもいない。つまり、この場合のスピーカユニット１０−ＳＬ、１０−ＳＲは、ケーブルで他の装置、電力源などとは全く接続されていない完全なケーブルレスの形態となっている。
【００２５】
図２は、メインアンプ部２の内部構成を示している。
先ず、メディアプレーヤ１から出力されたオーディオの再生信号は、ＤＩＲ（Digital Interface Receiver）２１に対して入力される。ＤＩＲ２１では、入力された再生信号について、ＤＳＰ(Digital Signal Processor)として構成される後段のオーディオ信号処理部２２において処理可能なデータ形式に変換するための処理を実行する。なお、例えばメディアプレーヤ１の構成や再生メディアなどの都合で、メディアプレーヤが出力される再生信号がアナログオーディオ信号である場合には、ＤＩＲ２１に代えてＡＤＣ（アナログ−デジタル変換器）などを備えるなどして、デジタルオーディオ信号に変換できるように構成すればよい。
【００２６】
オーディオ信号処理部２２では、ＤＩＲ２１により形式変換された再生信号について、所要のデコード処理、サラウンド対応処理、及びイコライジング処理等のデジタル信号処理を実行する。サラウンド対応処理によっては、５．１ｃｈを成す６つのオーディオチャンネルに対応する、６つのデジタルオーディオ信号が生成される。これらのデジタルオーディオ信号は、対応するチャンネルのスピーカから音として出力させたときに、しかるべき聴取位置においては最適音場が形成されるようにして、所定のアルゴリズムに基づいた信号処理を経て生成されたものである。
【００２７】
上記のようにしてオーディオ信号処理部２２により生成された６系統のオーディオ信号のうち、図１に示したように、メインアンプ部２により増幅すべき、フロント左チャンネル（ＦＬ）、センターチャンネル（Ｃ）、フロント右チャンネル（ＦＲ）、及びサブウーファ（ＳＷ）の、４系統のオーディオチャンネルに対応するオーディオ信号は、ＤＡＣ（デジタル−アナログ変換器）２３に対して入力される。
この場合のＤＡＣ２３は、上記のようにして入力されてくる、最大４系統のオーディオチャンネル分のデジタルオーディオ信号について、それぞれ同時的にアナログオーディオ信号に変換可能に構成されている。
【００２８】
音量制御部２４は、上記ＤＡＣ２３から出力される最大４系統のアナログオーディオ信号を入力して、例えば各系統のオーディオ信号ごとに独立して音量調整（振幅調整、ゲイン調整）が可能に構成されている。この音量制御２４の音量調整動作、つまり、各系統のオーディオ信号についての音量（ゲイン）設定は、フロント制御部２６が制御する。
この音量制御部２４により音量調整された、４系統のオーディオ信号は、それぞれパワーアンプ部２５に対して入力される。
【００２９】
パワーアンプ部２５は、上記のようにして入力されてきた最大４系統のオーディオ信号の各々について、スピーカ駆動のための増幅が行えるように構成されている。この増幅動作により得られた４系統のスピーカドライブ信号のうち、フロント左チャンネル（ＦＬ）に対応するスピーカドライブ信号は、実際にはスピーカケーブルを介してフロント左チャンネルスピーカＳＰ−ＦＬに対して供給される。また、センターチャンネル（Ｃ）に対応するスピーカドライブ信号は、スピーカケーブルを介してセンターチャンネルスピーカＳＰ−Ｃに対して供給される。フロント右チャンネル（ＦＲ）に対応するスピーカドライブ信号は、スピーカケーブルを介してフロント右チャンネルスピーカＳＰ−ＦＲに供給される。サブウーファチャンネル（ＳＷ）に対応するスピーカドライブ信号は、スピーカケーブルを介してサブウーファチャンネルスピーカＳＰ−ＳＷに対して供給される。
【００３０】
一方、オーディオ信号処理部２２により生成された６つのオーディオ信号のうち、残るサラウンド左チャンネル（ＳＬ）、サラウンド右チャンネル（ＳＲ）に対応する２系統のオーディオ信号は、この場合にはデジタル信号形式のままワイヤレス送信部３に対して入力される。
ワイヤレス送信部３では、フロント制御部２６の制御に応じて、前述のようにして送信信号生成処理、及び送信処理を行って、入力されてきたデジタルオーディオ信号を、スピーカユニット１０−ＳＬ、１０−ＳＲに対して送信出力する。
【００３１】
フロント制御部２６は、例えばＣＰＵ(Central Processing Unit)、ＲＯＭ２６ａ、ＲＡＭ２６ｂを備えたマイクロコンピュータとして構成され、図１に示される音響再生システム全体についてのメイン制御部としての機能を果たす。つまり、フロント制御部２６は、メインアンプ部２についての制御を司るとともに、ワイヤレス送信部３によるコマンドの送受信により、スピーカユニット１０−ＳＬ、１０−ＳＲ側の動作もコントロール可能とされている。
また、表示部２７は、所定のディスプレイデバイスを備えて構成され、実施の形態の音響再生システムの動作などに応じて、所要の内容の表示が行われる。表示部２７の表示動作は、フロント制御部２６が制御する。
また、操作入力部２８は、メインアンプ部２に対して設けられる各種操作子、あるいは、メインアンプ部２の本体とは別体となるリモートコントローラ及びリモートコントローラからの操作情報信号を受信／デコードする受信部などを、一括的に示しているものとされる。操作入力部２８からは、上記操作子に対して行われた操作、若しくはリモートコントローラに対して行われた操作情報信号に応じたコマンドが発生され、フロント制御部２６に対して入力されることになる。フロント制御部２６では、入力されたコマンドに応じて所要の制御動作を実行するようにされる。
また、確認のために述べておくと、この図２に示されるメインアンプ部２においては、商用交流電源を入力して電源電圧を生成する電源回路部を備える。そして、この電源電圧が所定のハードウェアに対して供給されることで上記図２により説明した各部の動作が得られるようになっているものである。
【００３２】
図３は、スピーカユニット１０−ＳＬ，１０−ＳＲの内部構成例を示している。
先ず、図１及び図２に示されるワイヤレス送信部３から送信された送信信号は、スピーカユニット１０−ＳＬ，１０−ＳＲ側におけるワイヤレス受信部３１において受信される。
ワイヤレス受信部３１においては、例えばユニット制御部３５の制御に応じて、受信信号についてキャリア復調、パケット抽出処理、アンパケット化、などの処理を施すことで、自身を送信先として送信されてきたデジタルオーディオ信号、及びコマンドなどの受信情報を取得するようにされる。
そして、受信取得したデジタルオーディオ信号については、時間的連続性を与えたうえでＤＡＣ３２に対して出力する。また、コマンド等の情報については、ユニット制御部３５に対して出力する。なお、先にも説明したように、スピーカユニット１０−ＳＬ，１０−ＳＲ側では、送信信号に例えばコマンドとして含めるようにされた音量の指示情報に基づいて、スピーカから出力すべき音声についての音量設定を行うようにされている。この音量を指示するために音量値を示すデータ（音量値データ）も、ワイヤレス受信部３１からユニット制御部３５に入力されることになる。
なお、ワイヤレス送信部３とワイヤレス受信部３１との間の通信は、ここでは赤外線光による通信としている。しかしながら、これ以外の、例えば電波などによる無線通信が採用されて構わないものである。また、無線通信とすることで、スピーカケーブルの配線は不要になるという大きなメリットはあるが、本発明としては、有線による所定フォーマットの通信を採用してもよい。
【００３３】
ＤＡＣ３２では入力されたデジタルオーディオ信号についてアナログオーディオ信号に変換して音量制御部３３に対して出力する。
音量制御部３３では、入力されたアナログオーディオ信号について、ユニット制御部３５の制御に従って所要の音量を設定するための処理を実行して、パワーアンプ部３４に出力する。
パワーアンプ部３４では、入力されたオーディオ信号について増幅を行ってスピーカドライブ信号として、サラウンド左チャンネル対応のスピーカＳＰ−ＳＬ、又は、サラウンド右チャンネル対応のスピーカＳＰ−ＳＲに対して出力することになる。
【００３４】
ユニット制御部３５も、ＣＰＵ、ＲＯＭ３５ａ、ＲＡＭ３５ｂを備えたマイクロコンピュータとして構成され、スピーカユニット１０−ＳＬ、１０−ＳＲとしての適正な動作が得られるように各種制御動作を実行する。
【００３５】
また、スピーカユニット１０−ＳＬ，１０−ＳＲは、メインアンプ部２とは別体の装置となるので、メインアンプ部２とは別に電源を得る必要がある。このために、電源回路部３６が備えられる。この電源回路部３６は、バッテリ３７の蓄電力を入力して、スピーカユニット１０−ＳＬ、１０−ＳＲが動作するのに必要とされる直流電源電圧を生成して、所要ハードウェア部品などに供給する。
【００３６】
続いて、図４を参照して、上記構成による本実施の形態の音響再生システムによる音響再生の形態を説明する。
先ず、図４（ａ）には、本実施の形態の音響再生システムが対応するとされる５．１ｃｈサラウンドのスピーカ配置の一般的な例が示されている。
フロント左チャンネルスピーカＳＰ−ＦＬは、聴取位置に位置しているとされる聴取者Ｕの前方左側に配置される。
センターチャンネルスピーカＳＰ−Ｃは、聴取者Ｕの前方においてほぼ正面に配置される。
フロント右チャンネルスピーカＳＰ−ＦＲは、聴取者Ｕの前方右側に配置される。
サラウンド左チャンネルスピーカＳＰ−ＳＬは、聴取者Ｕの後方左側に配置される。
サラウンド右チャンネルスピーカＳＰ−ＳＲは、聴取者Ｕの後方右側に配置される。
なお、サブウーファスピーカＳＰ−ＳＷから出力される音声は、他のスピーカから出力される音と比較して相当に低域となるもので、その分、指向性も低い。このために、他のスピーカほど配置位置を厳密に設定する必要はないのであるが、一般的には、図示しているように、聴取位置よりも前方に配置される。
【００３７】
そして、このようなスピーカ配置としたうえで、本実施の形態の音響再生システムによりメディアプレーヤ１にて再生された、５．１ｃｈサラウンドの音声ソースの再生信号を入力して音響再生を行ったとすれば、これら５つのスピーカから聴取位置に到達してくる音を聴いている聴取者Ｕには、最適な音場により、臨場感のあるサラウンド音声が聞こえることとなる。
【００３８】
そして、本実施の形態としては、５．１ｃｈサラウンドに対応する上記６つのスピーカから出力される音場の形成に関して、サラウンドエンハンスメントモードのオン／オフ設定が行えるようになっている。
【００３９】
先ず、サラウンドエンハンスメントモードがオフの場合には、通常の５．１ｃｈサラウンドの音声ソースについて、通常に各オーディオチャンネルのスピーカにより音声として再生出力させる。つまり、従来からの基本的なマルチチャンネル再生と特に代わるところはなく、５．１ｃｈサラウンドの音声ソースについて従来通りの信号処理を実行して得られた各チャンネル対応のオーディオ信号を基として、各オーディオチャンネルに対応するスピーカから音声を出力させる。
この場合においては、例えば仮に、６つのオーディオチャンネルのうち、１つのオーディオチャンネルのスピーカからの音声出力を停止したとすれば、聴取位置にて聴取者Ｕが聞こえる音場としては、このオーディオチャンネルの音声が完全に消失したものとなる。
また、サラウンドエンハンスメントモードがオフのときの各オーディオチャンネル間の音量バランスは、例えば各オーディオチャンネルで１０ｄＢのゲインにより出力させるべきとしたのであれば、各オーディオチャンネルに対応するスピーカごとについて１０ｄＢに対応する音量で音声が出力されるように、音量制御が行われることになる。
【００４０】
これに対して、サラウンドエンハンスメントモードがオンとなったときには、次のようにして、聴取位置にて適正音場が形成されるようになっている。
先ず、サラウンドエンハンスメントモードがオンの場合においても、結果的に、聴取位置に位置している聴取者Ｕには、６つの各オーディオチャンネルに対応するスピーカからの到達音が適正バランスで聞こえており、従って適正な音場が形成されている状態にある。
ここで、サラウンドエンハンスメントモードがオンのときにおいて、聴取者Ｕ（聴取位置）に対して後側にあるサラウンド左チャンネルスピーカＳＰ−ＳＬ及びサラウンド右チャンネルスピーカＳＰ−ＳＬからの音は出力させない状態にして、前側にあるフロント左チャンネルスピーカＳＰ−ＦＬ、センターチャンネルスピーカＳＰ−Ｃ、フロント右チャンネルスピーカＳＰ−ＦＲ、及びサブウーファチャンネルスピーカＳＰ−ＳＷからのみ、音声を出力させたとする。
この場合には、上記フロント側にある４つのスピーカから聴取位置に到達した音のみを聴取者Ｕが聴くことになる。ちなみに、このような場合において、サラウンドエンハンスメントモードがオフの状態であれば、サラウンド左チャンネルスピーカＳＰ−ＳＬ及びサラウンド右チャンネルスピーカＳＰ−ＳＬからの音は聞こえてこない。
しかしながら、サラウンドエンハンスメントモードの場合には、図４（ｂ）に示すようにして、聴取者Ｕには、サラウンド左チャンネルスピーカＳＰ−ＳＬ及びサラウンド右チャンネルスピーカＳＰ−ＳＬから出力されて聞こえるべき音の成分が、これらサラウンド左チャンネルスピーカＳＰ−ＳＬ及びサラウンド右チャンネルスピーカＳＰ−ＳＬが配置されている位置から、それぞれ到達してくるようにして聞こえる。
つまり、サラウンド左チャンネルスピーカＳＰ−ＳＬ及びサラウンド右チャンネルスピーカＳＰ−ＳＲが無くとも、これらサラウンド左チャンネルスピーカＳＰ−ＳＬ及びサラウンド右チャンネルスピーカＳＰ−ＳＲから出力されるべき内容の音であり、かつ、しかるべき定位感を持った、サラウンド左チャンネルＳＬ及びサラウンド右チャンネルＳＲに対応する仮想サラウンド音（ＳＬ）（ＳＲ）が発生するようにされるものである。これらの仮想サラウンド音（ＳＬ）（ＳＲ）は、残りの聴取位置より前側となるオーディオチャンネルに対応するスピーカから出力された各音が、聴取位置にて空間的に合成されることで、聴取者Ｕの聴感として得られるものである。
【００４１】
このようにして、本実施の形態では、サラウンドエンハンスメントモードにおいては、サラウンド左チャンネルＳＬ及びサラウンド右チャンネルＳＲに対応する仮想サラウンド音（ＳＬ）（ＳＲ）を発生させる。ただし、聴取者Ｕが聴いて感じる、仮想サラウンド音（ＳＬ）（ＳＲ）そのものの音量としては、これらの各チャンネルに対して設定された音量よりも小さい所要レベルが設定される。つまり、本実施の形態の仮想サラウンド音（ＳＬ）（ＳＲ）としては、この仮想サラウンド音（ＳＬ）（ＳＲ）のみによって、サラウンド左チャンネルスピーカＳＰ−ＳＬ及びサラウンド右チャンネルスピーカＳＰ−ＳＬから出力される音の代替とするのではなく、あくまでも、サラウンド左チャンネルスピーカＳＰ−ＳＬ及びサラウンド右チャンネルスピーカＳＰ−ＳＬから出力させる実音と合わせてしかるべき設定音量として聞こえるように、実音と相互に補填する関係となるものである。
【００４２】
また、上記したことは換言すれば、サラウンド左チャンネルスピーカＳＰ−ＳＬ及びサラウンド右チャンネルスピーカＳＰ−ＳＬから出力すべき実音そのものも、仮想サラウンド音（ＳＬ）（ＳＲ）により音量が補われるのであるから、実際の適正音量よりも小さい所要の音量が設定されていることになる。
【００４３】
従って、サラウンドエンハンスメントモードがオンのときには、サラウンド左チャンネルスピーカＳＰ−ＳＬ及びサラウンド右チャンネルスピーカＳＰ−ＳＬから出力される実音は、サラウンドエンハンスメントモードがオフのときよりも定常的に小さくなるように音量調整されているということがいえる。
このことは、例えば図３に示した構成のスピーカユニット１０−ＳＬ，１０−ＳＲにおいては、パワーアンプ部３４における増幅出力が小さくなることにつながるが、これはさらに、パワーアンプ部３４から出力されるスピーカドライブ信号の電流レベルも低減されるということであり、従って、パワーアンプ部３４による消費電力が低減されることにつながる。
例えば図３に示すような構成において、最も電力消費率が高いのはパワーアンプ部３４となる。従って、この部位の消費電力が低減されることで、スピーカユニット１０−ＳＬ，１０−ＳＲ全体としてみた場合にも消費電力は有効に低減されることになる。
そして、図３に示すようにして本実施の形態のスピーカユニット１０−ＳＬ，１０−ＳＲは、バッテリ３７により駆動されるタイプとなっていることから、上記のようにして、スピーカユニット１０−ＳＬ，１０−ＳＲにおける消費電力が有効に低減されることによっては、バッテリ３７の持続時間もそれだけ有効に長くすることが可能となるものである。なお、この場合のバッテリ３７としては、一次電池と二次電池の何れでもよいのであるが、バッテリ３７の持続時間が長くなれば、一次電池の場合には交換頻度もそれだけ少なくなってランニングコストが低くなる。また、二次電池の場合にも充電頻度が少なくなるので、例えばそれだけ充電の手間がかからないことになる。
【００４４】
なお、上記説明では、フロント側の４つのオーディオチャンネル（ＦＬ，Ｃ，ＦＲ，ＳＷ）の全てに対応するスピーカの出力音により、仮想サラウンド音（ＳＲ）（ＳＬ）を形成することとしている。つまり、仮想サラウンド音（ＳＲ）（ＳＬ）による補助対象となるオーディオチャネル以外の全てのオーディオチャンネルの音（オーディオ信号）を用いている。
しかしながら、必ずしも、補助対象のオーディオチャンネル以外の全てのオーディオチャンネルの音を、仮想サラウンド音の形成に使用する必要はなく、補助対象のオーディオチャンネル以外のオーディオチャンネルのうちの所定の複数のオーディオチャンネルにより仮想サラウンド音を形成するようにしてもよいものである。
【００４５】
図５のフローチャートは、サラウンドエンハンスメントモードがオフからオンに切り換えられたことに対応して、フロント制御部２６とユニット制御部３５が実行すべき処理手順を示している。なお、この図に示す処理は、例えば、フロント制御部２６とユニット制御部３５を構成するとされるＣＰＵが、内部ＲＯＭ２６ａ，３５ａに記憶されたプログラムを実行することで得られるものとされる。
また、この場合においては説明を簡単なものとするために、ユニット制御部２６，３５としては、共通のフローチャートにより同様の手順を実行するものとして示している。
また、メインアンプ部２とスピーカユニット１０−ＳＬ，１０−ＳＲとの間での音声ソースのオーディオ信号そのものの送受信のための処理に関しては、この図とは別の処理ルーチンにより継続して実行されているものとする。
【００４６】
先ず、サラウンドエンハンスメントモードについてオフが設定されている状態のもとで、フロント制御部２６は、ステップＳ１０１の処理により、サラウンドエンハンスメントモードがオンに切り換えられるのを待機している。
サラウンドエンハンスメントモードのオン／オフの切り換えは、ユーザの操作入力部２８に対する所定操作によって行われるものとされる。ちなみに、サラウンドエンハンスメントモードのオン／オフ切り換えに応じて応じては、図６に示すようにして、表示部２７において、サラウンドエンハンスメントモードがオン／オフのいずれであるのかを示す表示が行われるようになっている。この場合の表示部２７は、８桁のＦＬ管の部分を示している。そして、この表示部２７において、サラウンドエンハンスメントモードがオンに設定されているときには、例えば図６（ａ）に示すように、「ＳＵＲＥ  ＯＮ」と表示し、オフに設定されているときには、「ＳＵＲＥ  ＯＦＦ」と表示するようにされている。
【００４７】
そして、サラウンドエンハンスメントモードをオンに切り換えるための操作が操作入力部２８に対して行われ、この操作に応じた操作情報信号がフロント制御部２６に対して入力されたとすると、ステップＳ１０１において肯定の判別結果が得られてステップＳ１０２に進むことになる。
なお、ここでは図示していないが、例えばステップＳ１０１においてサラウンドエンハンスメントモードがオンに切り換えられたことが判別されたのに応じては、上記図６により説明したように、「ＳＵＲＥ  ＯＦＦ」から「ＳＵＲＥ  ＯＮ」の表示に切り換えが行われるように、表示部２７に対する表示制御も実行するようにされる。
【００４８】
ステップＳ１０２においては、先ず、メインアンプ部２における音量制御部２２に対してミュートオンのための制御処理を実行する。つまり、音量制御部２２においては、フロント左チャンネル（ＦＬ）、センターチャンネル（Ｃ）、フロント右チャンネル（ＦＲ）、及びサブウーファチャンネル（ＳＷ）の４チャンネルについての音量調整を行うものとされているが、ステップＳ１０２においては、これら４つのチャンネルの全てについて、ミュートオンとなるように（音量レベル０）となるように、音量制御部２２に対して指示を与える（音量値をセットする）。
【００４９】
そして、次のステップＳ１０３においては、スピーカユニット１０−ＳＬ，１０−ＳＲのそれぞれに対して音声ミュートを指示するミュートオンを要求するコマンドを発生させ、ワイヤレス送信部３に対して転送する。そして、このコマンドがワイヤレス送信部３によりスピーカユニット１０−ＳＬ，１０−ＳＲを送信先として送信されるようにするための制御を実行する。
【００５０】
スピーカユニット１０−ＳＬ，１０−ＳＲのユニット制御部３５においては、それぞれ、ステップＳ２０１の処理として、上記ステップＳ１０３によりメインアンプ部２から送信されてくるミュートオン要求のコマンドを受信するのを待機している。そして、例えばワイヤレス受信部３１にてミュートオン要求のコマンドが受信されたことが判別されるとステップＳ２０２に進んで、ミュートオンのための処理を実行する。このためには、例えばＤＡＣ３２におけるレベル設定を０とし、また、調整音量レベルが０となるように音量制御部３３に対して音量値をセットするようにされる。
ここまでの処理で以て、ステップＳ１０２により、メインアンプ部２側で駆動するフロント左チャンネルスピーカＳＰ−ＦＬ、センターチャンネルスピーカＳＰ−Ｃ、フロント右チャンネルスピーカＳＰ−ＦＲ、及びサブウーファチャンネルスピーカＳＰ−ＳＷからの音声出力が停止され、ステップＳ２０２の処理によってスピーカユニット１０−ＳＬ、１０−ＳＲの各スピーカＳＰ−ＳＬ、ＳＰ−ＳＲからの音声出力が停止される。つまり、全てのオーディオチャンネルのスピーカからの音声出力が停止されてサラウンド音声全体としてミュートがかけられた状態となる。
このようにしてサラウンド音声全体についてミュートをするのは、例えば次のステップＳ１０４の処理が実行されて、オーディオ信号処理部２２における信号処理のための各種パラメータが変更設定されるのに応じて、信号処理そのものについてエラーが生じて、出力オーディオ信号に不用意なノイズが発生する可能性があることによる。
【００５１】
先のステップＳ１０３によるミュートオン要求のコマンドの送信を実行したフロント制御部２６は、次のステップＳ１０４の処理として、メインアンプ部２内のオーディオ信号処理部２２に対して、サラウンドエンハンスメントモードに対応するプログラムを転送する。
オーディオ信号処理部２２は、転送されてきた上記プログラムを自身にセットするようにされる。これにより、オーディオ信号処理部２２の信号処理のアルゴリズムは、通常の５．１ｃｈサラウンドに対応するものではなく、サラウンドエンハンスメントモードに対応したものとなる。つまり、前述もしたように、フロント側の４チャンネル（ＦＬ、Ｃ、ＦＲ、ＳＷ）のスピーカＳＰ−ＦＬ、ＳＰ−Ｃ、ＳＰ−ＦＲ、ＳＰ−ＳＷから出力させた音の空間的な合成によって、しかるべき聴取位置にて、仮想サラウンド音（ＳＬ）（ＳＲ）が聞こえるようにして、フロント側の４チャンネルのオーディオ信号を生成する処理であり、５．１ｃｈに対応する６チャンネルの全てのオーディオ信号のうちから、所要のオーディオ信号を利用して、所定の伝達関数による演算や、信号の畳み込み処理などを実行するものとなる。このためのアルゴリズムとしては、例えば、これまでに知られている、あるいは将来的に既知となる、いわゆるバーチャルサラウンド処理などともいわれる仮想サラウンド音を生成するための信号処理を適宜採用すればよい。
また、この場合においては、例えば仮想サラウンド音（ＳＬ）（ＳＲ）の音量は、各オーディオチャンネルから出力すべきとして設定された音量値（操作音量値）に対して、一定割合となるようにして設定するようにされる。本実施の形態の上記バーチャルサラウンド処理としては、仮想サラウンド音（ＳＬ）（ＳＲ）の音量が上記設定通りの操作音量値に対する割合のものとなるようにして信号処理が行われる。また、仮想サラウンド音（ＳＬ）（ＳＲ）の間での音量バランスについては、サラウンド左チャンネルとサラウンド右チャンネルとが聴取位置に対して対称となるので常に同じでよいものとされる。
【００５２】
フロント制御部２６は、次のステップＳ１０５において、サラウンド左チャンネルスピーカＳＰ−ＳＬ及びサラウンド右チャンネルスピーカＳＰ−ＳＬのそれぞれから出力させるべき実音の音量を示す音量値（ゲイン）Ｖvolを得るようにされる。
このためには、例えば先ず、ユーザの操作入力部２８に対するボリューム操作に応じて現在設定されているとされる操作音量値を読み込んで認識する。この操作音量値に応じて、基本的には音量設定が行われる。
つまり、説明を分かりやすくするために、ここではサラウンドエンハンスメントモードがオフの通常時であるとして、例えば、この操作音量値が、前述のように、１０ｄＢのゲインに相当する値であったとする、この場合には、各オーディオチャンネルのオーディオ信号について１０ｄＢのゲインが設定されるように、メインアンプ部２の音量制御部２４を制御する。また、スピーカユニット１０−ＳＬ，１０−ＳＲの音量制御部３３についても、１０ｄＢのゲインを設定する。これにより、サラウンドエンハンスメントモードがオフのときには、各オーディオチャンネルのスピーカから出力される音量のバランスが１０ｄＢに対応する均一レベルとなって、適正な音場が再現される。
ステップＳ１０５では、読み込みを行って取得した操作音量値と、仮想サラウンド音（ＳＬ）（ＳＲ）に設定されている操作音量値に対する割合の情報とから、音量値Ｖvolを算出するようにされる。このようにして算出された音量値Ｖvolは、サラウンド左チャンネルスピーカＳＰ−ＳＬ及びサラウンド右チャンネルスピーカＳＰ−ＳＬのそれぞれから出力させるべき実音について、仮想サラウンド音（ＳＬ）（ＳＲ）と空間で合成されたときに適正音量となるようなレベルを指示するものとされる。
なお、フロント側の４チャンネル（ＦＬ、Ｃ、ＦＲ、ＳＷ）については、操作音量値にそのまま応じた音量調整が音量制御部２４によって行われるように制御を実行すればよい。
【００５３】
そして、次のステップＳ１０６においては、上記ステップＳ１０５により得られた音量値Ｖvolを格納したコマンド（音量制御コマンド）を、スピーカユニット１０−ＳＬ，１０−ＳＲのそれぞれを送信先として送信する。
【００５４】
フロント制御部２６は、さらに、上記ステップＳ１０６による音量制御コマンドを送信した後の所定タイミングで、続くステップＳ１０７の処理として、スピーカユニット１０−ＳＬ，１０−ＳＲのそれぞれを送信先として、ミュートオフ要求のコマンドを送信する。
【００５５】
そして、フロント制御部２６は、次のステップＳ１０８において、先のステップＳ１０２の処理によりミュートオンを設定した音量制御部２４に対して、ミュートオフを設定するための処理を実行する。
これにより、以降においては、メインアンプ部２が駆動するフロント側のスピーカ（ＳＰ−ＦＬ、ＳＰ−Ｃ、ＳＰ−ＦＲ、ＳＰ−ＳＷ）からの音声出力が再開される。また、この段階では、ステップＳ１０４の処理が実行されていることで、これらフロント側のスピーカ（ＳＰ−ＦＬ、ＳＰ−Ｃ、ＳＰ−ＦＲ、ＳＰ−ＳＷ）から出力される音声のみを聴取位置にて聴いたとすれば、これら４つの各スピーカから出力される音に対して設定された出力レベル（ゲイン）に対して所定割合のゲインが設定された音量感で、仮想サラウンド音（ＳＬ）（ＳＲ）が聞こえていることになる。
【００５６】
スピーカユニット１０−ＳＬ，１０−ＳＲのユニット制御部３５では、ステップＳ２０３により、先のステップＳ１０７の処理により送信された音量値Ｖvolのデータ（音量制御コマンド）が受信されるのを待機しており、受信されたことを判別するとステップＳ２０４の処理に進んで、この受信して得られた音量値Ｖvolのデータを、現在のミュートオン設定が解除される（ミュートオフとなる）まで、ＲＡＭ３５ｂに書き込んで一時保持させておくようにされる。
【００５７】
そして、次のステップＳ２０５により、ミュートオフ要求のコマンドが受信されるのを待機し、このコマンドを受信したら、ステップＳ２０６の処理に移行するようにされる。
ステップＳ２０６では、先のステップＳ２０４の処理によってＲＡＭ３５ｂに保持されていた音量値Ｖvolを読み出し、この音量値Ｖvolに応じたレベル、ゲインをＤＡＣ２３、音量制御部３３に対してセットするようにされる。
このステップＳ２０６による処理が行われる結果、スピーカユニット１０−ＳＬ，１０−ＳＲの各スピーカＳＰ−ＳＬ、ＳＰ−ＳＲからの実音によるサラウンド音声の出力が再開されることになる。なお、実際においては、ステップＳ１０８のミュートオフ処理によるフロント側の他の４チャンネルのスピーカからの音声出力の開始タイミングとほぼ同じタイミングで、スピーカＳＰ−ＳＬ、ＳＰ−ＳＲからの音声出力は開始される。
そして、このときにスピーカＳＰ−ＳＬ、ＳＰ−ＳＲから出力されるサラウンド音声の実音の音量レベルとしては、現在設定されている操作音量値にそのまま対応する音量レベルから、仮想サラウンド音（ＳＬ）（ＳＲ）の音量レベルを差し引いたようなものとなっている。つまり、聴取位置においては、スピーカＳＰ−ＳＬから出力される実音と仮想サラウンド音（ＳＬ）とが合わされることにより、あたかも、スピーカＳＰ−ＳＬの方向から操作音量値にそのまま対応する音量によるサラウンド左チャンネルの音が到来して聞こえるようにされる。同様にして、スピーカＳＰ−ＳＲから出力される実音と仮想サラウンド音（ＳＲ）とが合わされることにより、あたかも、スピーカＳＰ−ＳＲの方向から、操作音量値にそのまま対応するサラウンド右チャンネルの音が到来して聞こえるようにされる。また確認のために述べておくと、このことから、ステップＳ１０５において得るべき音量値（ゲイン）Ｖvolについては、聴取位置における聴感上の結果として、仮想サラウンド音（ＳＬ）（ＳＲ）と足し合わされたときに適正音量として聞こえるようなスピーカＳＰ−ＳＬ、ＳＰ−ＳＲから出力される実音の音量レベルが得られるように、例えばその算出のためのアルゴリズムが構成されるべきものであるといえる。
【００５８】
続いて、本実施の形態における音響再生システムの変形例について、図７を参照して説明する。
なお、この図において、図１と同一部分については同一符号を付して説明を省略する。
この図７においては、サラウンド左チャンネル（ＳＬ）及びサラウンド右チャンネル（ＳＲ）に対応する構成が図１の場合と異なっている。
つまり、サラウンド左チャンネル（ＳＬ）及びサラウンド右チャンネル（ＳＲ）に対応しては、スピーカユニット１０−ＳＬ、１０−ＳＲは省略され、代わりに、１つのリアアンプ部１１及びスピーカＳＰ−ＳＬ、ＳＰ−ＳＲが備えられる。
【００５９】
この場合のリアアンプ部１１の内部構成例を図８に示す。
この図に示すようにして、リアアンプ部１１は、ワイヤレス受信部４１、ＤＡＣ４２、音量制御部４３、パワーアンプ部４４、リア制御部４５、及び電源回路部４６を備えて成る。
ここで、ワイヤレス受信部４１における受信復調処理と、ＤＡＣ４２、音量制御部４３、及びパワーアンプ部４４から成る系におけるオーディオ信号処理の動作としては、図３により説明したワイヤレス受信部４１、ＤＡＣ４２、音量制御部４３、及びパワーアンプ部４４と同様となる。ただし、図３の場合には、サラウンド左チャンネル（ＳＬ）若しくはサラウンド右チャンネル（ＳＲ）の何れか一方のオーディオチャンネルのみに対応した１系統のみの信号処理系を備えればよいのに対して、図８においては、ワイヤレス受信部４１以降のオーディオ信号処理系は、サラウンド左チャンネル（ＳＬ）及びサラウンド右チャンネル（ＳＲ）に対応する２系統を有することになる。
つまり、ワイヤレス受信部４１からＤＡＣ４２に対しては、サラウンド左チャンネル（ＳＬ）及びサラウンド右チャンネル（ＳＲ）に対応する２系統のデジタルオーディオ信号が同時的に入力される。そして音量制御部４３としても、ＤＡＣ４２にてアナログ変換された２系統のオーディオ信号についてそれぞれ個別に音量制御を行い、パワーアンプ部４４は、音量制御部４３から出力された２系統のオーディオ信号のそれぞれについて増幅を行って、スピーカＳＰ−ＳＬ，ＳＰ−ＳＲそれぞれのスピーカドライブ信号を出力するようにされる。
なお、ワイヤレス受信部４１にて抽出されたコマンド等のデータは、図３のワイヤレス受信部３１がユニット制御部３５に転送したのと同様にして、リア制御部４５に対して転送するようにされる。
【００６０】
また、この場合のリア制御部４５も、例えば図３に示したユニット制御部３５と同様にして、ＣＰＵ、ＲＯＭ４５ａ，ＲＡＭ４５ｂを備えるマイクロコンピュータとして構成される。そして、サラウンドエンハンスメントモードに対応しては、リア制御部４５は、先に図５に示したユニット制御部側の処理であるステップＳ２０１〜Ｓ２０６に準じた処理を実行すればよい。
【００６１】
また、この場合のリアアンプ部１１としても、メインアンプ部２に対して独立した装置であり、個別に電源を得る必要がある。このために、電源回路部４６を備える。電源回路部４６は、商用交流電源ＡＣを入力して、内部回路に供給すべき直流電源電圧を生成する。なお、この場合の電源回路部４６の形式、構成等については特に限定されるべきものではない。この点については、先の実施の形態の電源回路部３６も同様である。
図３に示した構成では、サラウンドチャンネル側としては、スピーカユニット１０−ＳＬ，１０−ＳＲの構成として示したように、バッテリ３７により駆動されることとしており、サラウンドチャンネル側における増幅動作の低消費電力化により、バッテリの持続時間を長くできるというメリットが得られていた。
しかしながら、この変形例のようにして、サラウンドチャンネル側の増幅回路系の電源を商用交流電源ＡＣから採っている構成においても、本発明によっては次のような効果が得られる。
【００６２】
この変形例においても、サラウンドエンハンスメントモードにより音響再生を行うことによっては、サラウンド左チャンネルスピーカＳＰ−ＳＬ及びサラウンド右チャンネルスピーカＳＰ−ＳＲから出力される実音の音量レベルについて、仮想サラウンド音（ＳＬ）（ＳＲ）による補填分だけ小さくすることになるので、パワーアンプ部４４における増幅動作による消費電力は有効に低減されることになる。
そこで、この図７及び図８に示すシステム構成を採る場合においては、常にサラウンドエンハンスメントモードがオンで固定設定の状態で音響再生を行なう構成とする。すると、サラウンド左チャンネルスピーカＳＰ−ＳＬ及びサラウンド右チャンネルスピーカＳＰ−ＳＲから出力される実音の音量レベルは、常に、仮想サラウンド音（ＳＬ）（ＳＲ）による補填分だけ小さくなるものであり、従って、定常的に、その分の消費電力の低減効果が得られることになる。
そして、このようにして定常的に低消費電力の状態であることが確保されることに基づけば、電源回路部４６についても、低減された消費電力に対応して部品選定を行うことができることになる。これにより、例えば電源トランスやスイッチング素子などの各種部品素子について、これまでよりも小型なものを選定することができ、結果的に電源回路部４６としての回路の小型軽量化が図られることになる。電子部品において、電源回路が占有する物理的なスペースは比較的大きいので、逆に、この電源回路部４６が小型軽量化されることによっては、リアアンプ部１１としての装置そのものの小型軽量化が図られることになる。リアアンプ部１１が小型軽量化すれば、例えば取り扱いも楽になり、また、室内における占有率も小さくなって室内の美観が保たれることにつながる。
なお、図７及び図８に示す構成においても、リアアンプ部１１についてバッテリにより動作するように構成することができ、この場合には、先の実施の形態と同様にして、サラウンドエンハンスメントモードがオンとなることによっては、バッテリの持続時間が延長されるというメリットが得られることになる。
【００６３】
また、本発明としては、上記した実施の形態、変形例に限定されるものではなく、他にも各種の変形が考えられる。
これまでの実施の形態の説明では、サラウンドエンハンスメントモードはオン／オフの切り換えが可能とされ、また、このオン／オフ切り換えは、ユーザ操作によって行われるものとしていた。
この点に関する変更として、先ず、サラウンドエンハンスメントモードがオンの場合においては、仮想サラウンド音の音量レベルと、この仮想サラウンド音によって補填される実音の音量レベルとのバランスについて変更可能に構成することができる。
つまり、操作入力部２８に対する所定操作に応じて、実音に対する補助音である仮想サラウンド音（ＳＬ）（ＳＲ）の音量（操作音量値に対する仮想サラウンド音の音量の割合）を変更設定できるようにする。なお、仮想サラウンド音（ＳＬ）（ＳＲ）の音量を変更設定するということは、相対的には、仮想サラウンド音により補助される実音の音量を変更していることと同義である。
ここで、先の実施の形態のようにして、仮想サラウンド音の補助対象の実音を出力する側のオーディオ信号の増幅回路系について、バッテリを電源として動作させる構成のシステムを使用しているものとする。
この場合において、例えばユーザは、バッテリの持続時間を重視して、もっとバッテリの持続時間を長くしたいと思ったときには、仮想サラウンド音（ＳＬ）（ＳＲ）の音量レベルを上げる操作を行うようにされる。本実施の形態としては、仮想サラウンド音と実音とが合わさって聞こえる音量としては、一定となるべきものとされているので、仮想サラウンド音（ＳＬ）（ＳＲ）の音量レベルを上げる分、スピーカから出力される実音は小さくなって、増幅回路系における消費電力量はさらに少なくなる。つまり、バッテリの持続時間は延長される。
これに対して、例えば或る程度バッテリの持続時間は短くなっても良いので、実音の比率を大きくして、より忠実なサラウンドの音場で聴きたいと思ったときには、ユーザは、仮想サラウンド音（ＳＬ）（ＳＲ）の音量を下げる（相対的には、実音の音量を増加させる）操作を行うようにされる。
現状においては、技術的には、本実施の形態におけるような仮想サラウンド音としての音場を形成することは可能ではある。しかしながら、このような仮想サラウンド音により形成される音場と、実際にスピーカからサラウンド音としての実音を出力させて形成される音場とでは、後者のほうが高い忠実度を持っている。つまり、本実施の形態のようにして、仮想サラウンド音と実のサラウンド音とを合わせて所要のサラウンド音の音場を形成しようとする場合には、仮想サラウンド音に対して実のサラウンド音の音量の比率が高くなるほど、形成される音場の忠実度は高くなる。
【００６４】
フロント制御部２６では、上記のようにして変更設定される仮想サラウンド音（ＳＬ）（ＳＲ）の音量レベルに基づいて、サラウンドエンハンスメントのプログラムを更新してオーディオ信号処理部２２に対して転送するようにされる。これに応じて、オーディオ信号処理部２２においては、変更設定された仮想サラウンド音（ＳＬ）（ＳＲ）の音量が得られるようにして、フロントの４チャンネル（ＦＬ，Ｃ，ＦＲ，ＳＷ）及びサラウンド左チャンネル（ＳＬ）、サラウンド右チャンネル（ＳＲ）のオーディオ信号を生成するためのサラウンド処理を実行する。
また、フロント制御部２６は、この変更設定された仮想サラウンド音（ＳＬ）（ＳＲ）の音量値に基づいて、サラウンド左チャンネルスピーカＳＰ−ＳＬ及びサラウンド右チャンネルスピーカＳＰ−ＳＲから出力させるべき音の音量値Ｖvolについても算出のし直しを行い、この新たに取得した音量値Ｖvolのデータを、スピーカユニット１０−ＳＬ、１０−ＳＲ（又はリアアンプ部１１）に対して送信する。スピーカユニット１０−ＳＬ、１０−ＳＲ（又はリアアンプ部１１）のユニット制御部３５（リア制御部４５）は、新規に受信取得した音量値Ｖvolに応じて音量調整制御を実行する。これにより、仮想サラウンド音の音量が操作により変更されたとしても、仮想サラウンド音と実音とが合わさって聞こえる音量としては、一定となるようにして制御されることになる。
【００６５】
なお、上記のような仮想サラウンド音と実音との音量バランスを可変する構成は、図７及び図８に示した変形例のように、仮想サラウンド音の補助対象の実音を出力する側のオーディオ信号の増幅回路系について商用交流電源を電源として動作させる構成に適用しても相応の効果が得られる。つまり、この場合には、デフォルトの仮想サラウンド音と実音との音量バランスが好みでないような場合に、ユーザの好みに近くなるようにユーザ操作による調整が行えることになる。
【００６６】
また、音響再生システムにおいて、仮想サラウンド音の補助対象の実音を出力する側のオーディオ信号の増幅回路系についてバッテリを電源として動作させる構成を採る場合については、次のような構成を採ることも考えられる。
つまり、仮想サラウンド音の補助対象の実音を出力する装置側であるスピーカユニット１０（またはリアアンプ部１１）において、ユニット制御部３５（リア制御部）４５がバッテリ３７の残量を検出するように構成する。また、スピーカユニット１０（またはリアアンプ部１１）側からメインアンプ部２側に対するコマンド等の送信も可能なように構成する。つまり、コマンド等のデータの送受信に関しては双方向で行えるように構成する。
そして、スピーカユニット１０（またはリアアンプ部１１）からメインアンプ部２に対して、検出したバッテリ３７の残量を示す残量値情報を、例えば一定周期による所定タイミングで送信するようにされる。
メインアンプ部２のフロント制御部２６では受信取得した残量値情報に基づいて、サラウンドエンハンスメントモードのオン／オフを自動的に実行するようにされる。例えば、残量値情報が示すバッテリ３７の残量が所定以上であるときには、サラウンドエンハンスメントモードをオフとして良好な音場が得られるようにしておく。そして、残量値情報が示すバッテリ３７の残量が所定以下となったときには、サラウンドエンハンスメントモードをオンに切り換えて、バッテリの持続時間が延長されるようにするものである。
また、さらにこの点を推し進めて、残量値情報に応じて、サラウンドエンハンスメントモードがオンのときにおける仮想サラウンド音と実音との音量バランスを連続的あるいは段階的に可変していくように制御することも考えられる。
【００６７】
また、実施の形態においては、フロント側のオーディオチャンネル（ＦＲ，Ｃ，ＦＬ，ＳＷ）のオーディオ信号に基づいて、リア側のサラウンドチャンネル（ＳＬ，ＳＲ）の仮想サラウンド音を生成することとしている。これは、フロント側のオーディオチャンネルをメイン、リア側のオーディオチャンネルをサブとして扱っているということになるが、この逆の関係としてもよいものである。
つまり、リア側のオーディオチャンネルをメインとして、例えばリア側のオーディオチャンネル（ＳＬ，ＳＲ）のオーディオ信号をスピーカから出力させた音により、フロント側のオーディオチャンネル（ＦＲ，Ｃ，ＦＬ，ＳＷ）における所定の１以上のオーディオチャンネルの仮想サラウンド音を形成するようにされる。そして、フロント側においては、この仮想サラウンド音により音量が補填されるオーディオチャンネルのスピーカから出力させる実音について、仮想サラウンド音とのバランスが適正となるように音量調整を行うようにされる。この場合においては、少なくとも、リア側のオーディオチャンネル（ＳＬ，ＳＲ）の音についてはメインアンプ（コントロールユニット）により駆動することとして、仮想サラウンド音により音量が補填されるフロント側のオーディオチャンネルについては、スピーカユニット若しくは図７におけるリアアンプ部７に相当するサブ的な役割のアンプにより駆動するようにされる。
また、このことを推し進めれば、本発明としては、所定のマルチチャンネル構成において仮想サラウンド音による補助対象となるオーディオチャンネルと、仮想サラウンド音を形成するメイン側となるオーディオチャンネルの関係は、特に限定される必要はないということがいえる。
また、本発明としては、対応可能なマルチチャンネル構成としては、これまでに説明した５．１ｃｈサラウンドに限定されるものではないものであり、これよりも多いオーディオチャンネル数によるマルチチャンネル構成でも、これより少ないオーディオチャンネル数によるマルチチャンネル構成でも適用可能である。
【００６８】
また、これまでの説明において、仮想サラウンド音は、この仮想サラウンド音により補助される実音と同じ定位であるとしていたが、例えば、敢えて、仮想サラウンド音と実音との定位位置をずらして設定するようにすることも考えられる。このためには、仮想サラウンド音の定位が、対応する実音の定位から所要量ずれるように処理パラメータを設定してサラウンド処理を実行するようにされる。
このようにすることで、例えばその定位の設定によっては、より良好な音場を形成することも可能になる。
一例としては、サラウンド左チャンネル（ＳＬ）、サラウンド右チャンネル（ＳＲ）に対応するスピーカＳＰ−ＳＬ，ＳＰ−ＳＲについて２個別体とするのではなく、スピーカユニットとして一体化した構成として、視聴位置の後方（ほぼ真後ろ）に配置させるようにするものである。この場合において、例えばスピーカＳＰ−ＳＬ，ＳＰ−ＳＲの配置位置に対して、仮想サラウンド音（ＳＬ）（ＳＲ）は、真後ろよりも左右にずらして定位させるようにする。すると、スピーカＳＰ−ＳＬ，ＳＰ−ＳＲから放出される実音により、真後ろの音像定位は、これまでよりも良好で適正なものとなるようにされたうえで、その左右両側に仮想サラウンド音（ＳＬ）（ＳＲ）が定位するので、例えば５．１ｃｈサラウンドとして、本来求める音場により近づくことになる。
【００６９】
また、これまでにおいては、仮想サラウンド音は、これに対応する実音とほぼ同等の周波数帯域を持つ音として形成されるべきものであることを前提としていたのであるが、例えば、仮想サラウンド音としては、対応する実音の周波数帯域における一部の所定の周波数帯域の成分から成る音としてもよいものである。この場合には、仮想サラウンド音に対応する実音については周波数帯域に応じたゲイン調整を行って周波数帯域特性を変化させることで、仮想サラウンド音と実音とが合わさって聞こえるときの音量感、及び音質を保つようにされる。
また、このことを推し進めれば、仮想サラウンド音としては、実音とほぼ同等の周波数帯域を持たせることとしたうえで、さらに一部の周波数帯域を強調した音として形成することも考えられる。この場合、対応する実音については音量調整と、周波数帯域のゲイン調整とを組み合わせて音量、音質を調整することになる。
【００７０】
また、メインアンプ部２、スピーカユニット１０−ＳＬ，１０−ＳＲ、リアアンプ部１１などの内部におけるオーディオ信号処理系、及び増幅回路系の構成は適宜変更されても良い。例えば、実施の形態としては、アナログオーディオ信号について増幅を行う構成としているが、Ｄ級動作をするデジタルパワーアンプなどのようにしてデジタル信号を増幅してスピーカから音声を出力させる構成としてもよいものである。
【図面の簡単な説明】
【００７１】
【図１】本発明の実施の形態としての音響再生システムの構成例を示すブロック図である。
【図２】本実施の形態の音響再生システムにおけるメインアンプ部の内部構成例を示すブロック図である。
【図３】本実施の形態の音響再生システムにおけるスピーカユニットの内部構成例を示すブロック図である。
【図４】本実施の形態の音響再生システムにおける音場再生の概念を示す説明図である。
【図５】本実施の形態の音響再生システムにおける、サラウンドエンハンスメントモードがオンに設定されたときの処理動作を示す説明図である。
【図６】サラウンドエンハンスメントモードのオン／オフ切り換えに対応する表示部の表示形態例を示す図である。
【図７】実施の形態の音響再生システムの変形例を示すブロック図である。
【図８】実施の形態の変形例の音響再生システムにおけるリアアンプ部の内部構成例を示すブロック図である。
【符号の説明】
【００７２】
１  メディアプレーヤ、２  メインアンプ部、３  ワイヤレス送信部、１０−ＳＬ，１０−ＳＲ  スピーカユニット、１１  リアアンプ部、２１  ＤＩＲ、２２  オーディオ信号処理部、２３、３２  ＤＡＣ、２４、３３  音量制御部、２５、３４  パワーアンプ部、２６  フロント制御部、２６ａ，３５ａ，４５ａ  ＲＯＭ、２６ｂ，３５ｂ，４５ｂ  ＲＡＭ、２７  表示部、２８  操作入力部、３１  ワイヤレス受信部、３５  ユニット制御部、３６，４６  電源回路部、３７  バッテリ、４５  リア制御部、スピーカ  ＳＰ−ＦＬ，ＳＰ−Ｃ，ＳＰ−ＦＲ，ＳＰ−ＳＷ，ＳＰ−ＳＬ，ＳＰ−ＳＲ
【図１】
2005341385.tif 000003
【図２】
2005341385.tif 000004
【図３】
2005341385.tif 000005
【図４】
2005341385.tif 000006
【図５】
2005341385.tif 000007
【図６】
2005341385.tif 000008
【図７】
2005341385.tif 000009
【図８】
2005341385.tif 000010